(57)【要約】【課題】任意の位置で電気機器のケーブルの接続が可能な接続端子を備えた巾木を提供する。【解決手段】巾木１００は、隅部Ｃに沿って配置される巾木部１と、巾木部１の上部及び壁Ｗと反対側の表面部１０の少なくとも一方に設けられ、巾木部１の延在方向に沿って連続して設けられた接続端子２３と、を備え、表面部１０と壁Ｗとの間には、接続端子２３に接続された電源線２４が収容される配線収容空間Ｓが形成され、巾木部１の表面部１０には、壁Ｗ側に凹む凹部１９が形成され、接続端子２３が設けられた接続部２は、凹部１９内に配置され、接続端子２３は壁Ｗと反対側を向いて配置されていることを特徴とする。【選択図】図２
2018102029.tif 000002
【特許請求の範囲】
【請求項１】
床と壁とで形成される隅部に沿って配置され、電気プラグが接続される接続端子を備えた巾木であって、
前記隅部に沿って配置される巾木部と、
該巾木部の上部及び前記壁と反対側の表面部の少なくとも一方に設けられ、前記巾木部の延在方向に沿って連続して設けられた接続端子と、を備えることを特徴とする接続端子を備えた巾木。
【請求項２】
前記表面部と前記壁との間には、前記接続端子に接続された電源線が収容される配線収容空間が形成されていることを特徴とする請求項１に記載の接続端子を備えた巾木。
【請求項３】
前記巾木部の上部及び前記壁と反対側の表面部の少なくとも一方には、内方に向かって凹む凹部が形成され、
前記接続端子が設けられた接続部は、前記凹部内に配置されていることを特徴とする請求項１または２に記載の接続端子を備えた巾木。
【請求項４】
前記凹部は、前記接続部と略同一の大きさで形成されている請求項３に記載の接続端子を備えた巾木。
【請求項５】
前記接続端子は、室内側を向くように配置されている請求項１から４のいずれか一項に記載の接続端子を備えた巾木。
【請求項６】
前記隅部に沿って既存の巾木が配置され、
前記巾木部は、前記既存の巾木の少なくとも前記壁と反対側を覆うように配置されていることを特徴とする請求項１から５のいずれか一項に記載の接続端子を備えた巾木。
【発明の詳細な説明】
【技術分野】
【０００１】
本発明は、接続端子を備えた巾木に関するものである。
【背景技術】
【０００２】
従来から、住宅等の建築物では、壁と床とで形成される隅部に沿って巾木が設けられている。また、壁や床等には、電気機器のプラグが差し込まれる電源コンセントが設けられている。
【０００３】
ところで、電源コンセントが設けられた配線ダクトが壁に巾木として取り付けられたものが提案されている（下記の特許文献１参照）。具体的には、接続端子が設けられた延長コードの本体部が収容される収容部と、壁に沿って配置され延長コードのコード部分が挿通されるダクト本体と、を備え、壁に沿って巾木として取り付けられている。電気機器のプラグと接続される接続端子が、一対設けられている。この配線ダクトでは、延長コードの本体部及びコード部分がそれぞれ収容部及びダクト本体に収容されるため、物や人の足等が本体部にひっかかったり、コード部分と接触して傷つけたりすることがない構成とされている。
【先行技術文献】
【特許文献】
【０００４】
【特許文献１】特開２００４−１５９３８９号公報
【発明の概要】
【発明が解決しようとする課題】
【０００５】
しかしながら、上記の特許文献１に記載の配線ダクトでは、接続端子はダクト本体の所定の位置に設けられているため、電気機器が接続端子から遠く離れたところに設置されると、電気機器のケーブルの長さによっては接続端子まで届かなかったり、届いてもケーブルの露出長さが長くなって美観が損なわれたり、歩行時等の邪魔になったりするという問題点がある。
【０００６】
そこで、本発明は、上記事情に鑑みてなされたものであり、任意の位置で電気機器のケーブルの接続が可能な接続端子を備えた巾木を提供する。
【課題を解決するための手段】
【０００７】
上記目的を達成するために、本発明は以下の手段を採用している。
すなわち、本発明に係る接続端子を備えた巾木は、床と壁とで形成される隅部に沿って配置され、電気プラグが接続される接続端子を備えた巾木であって、前記隅部に沿って配置される巾木部と、該巾木部の上部及び前記壁と反対側の表面部の少なくとも一方に設けられ、前記巾木部の延在方向に沿って連続して設けられた接続端子と、を備えることを特徴とする。
【０００８】
このように構成された接続端子を備えた巾木では、巾木部の上部及び壁と反対側の表面部の少なくとも一方には、巾木部の延在方向に沿って連続して接続端子が設けられている。よって、電気機器のケーブルを、連続する接続端子の任意の位置で接続することができる。
【０００９】
また、本発明に係る接続端子を備えた巾木は、前記表面部と前記壁との間には、前記接続端子に接続された電源線が収容される配線収容空間が形成されていることが好ましい。
【００１０】
このように構成された接続端子を備えた巾木では、表面部と壁との間には、接続端子に接続された電源線が収容される配線収容空間が形成されている。よって、電源線が露出することがなく、外観が向上させることができるとともに、電源線が歩行等の邪魔になることがない。
【００１１】
また、本発明に係る接続端子を備えた巾木は、前記巾木部の上部及び前記壁と反対側の表面部の少なくとも一方には、内方に向かって凹む凹部が形成され、前記接続端子が設けられた接続部は、前記凹部内に配置されていてもよい。
【００１２】
このように構成された接続端子を備えた巾木では、巾木部の上部及び壁と反対側の表面部の少なくとも一方には内方に向かって凹む凹部が形成され、接続端子が設けられた接続部は凹部内に配置されている。よって、接続部が巾木部の上部及び壁と反対側の表面部の少なくとも一方から出っ張ることが抑制され、納まりを良好とすることができる。
【００１３】
また、本発明に係る接続端子を備えた巾木では、前記凹部は、前記接続部と略同一の大きさで形成されていてもよい。
【００１４】
このように構成された接続端子を備えた巾木では、凹部には該凹部と略同一の大きさの接続部が配置されるため、巾木全体の凹凸を抑えて良好な納まりとすることができる。
【００１５】
また、本発明に係る接続端子を備えた巾木では、前記接続端子は、室内側を向くように配置されていてもよい。
【００１６】
このように構成された接続端子を備えた巾木では、接続端子は室内側を向くように配置されている。よって、電気プラグを接続端子に室内側から接続できるため、利便性がよい。
【００１７】
また、本発明に係る接続端子を備えた巾木では、前記隅部に沿って既存の巾木が配置され、前記巾木部は、前記既存の巾木の少なくとも前記壁と反対側を覆うように配置されていてもよい。
【００１８】
このように構成された接続端子を備えた巾木では、既存の巾木を取り外すことなく、接続端子が設けられた巾木を設置することができる。また、巾木部は既存の巾木の少なくとも壁と反対側を覆うように配置されているため、既存の巾木の露出が抑制される。
【発明の効果】
【００１９】
本発明に係る接続端子を備えた巾木によれば、電気機器のケーブルが任意の位置で接続端子と接続ができる。
【図面の簡単な説明】
【００２０】
【図１】本発明の一実施形態に係る接続端子を備えた巾木が設置例を示す斜視図である。
【図２】本発明の一実施形態に係る接続端子を備えた巾木が新規で設置される場合を示す縦断面図である。
【図３】本発明の一実施形態に係る接続端子を備えた巾木が新規で設置される場合を示す正面図である。
【図４】本発明の一実施形態の変形例１に係る接続端子を備えた巾木がリフォームの際に設置される場合を示す縦断面図である。
【図５】本発明の一実施形態の変形例１に係る接続端子を備えた巾木がリフォームの際に設置される場合を示す正面図である。
【図６】本発明の一実施形態の変形例２に係る接続端子を備えた巾木が接続端子を上向きにして設置される場合を示す縦断面図である。
【図７】本発明の一実施形態の変形例２に係る接続端子を備えた巾木が接続端子を上向きにして設置される場合を示す正面図である。
【図８】本発明の一実施形態の変形例３に係る接続端子を備えた巾木において、巾木どうしの接続部分を示す斜視図である。
【発明を実施するための形態】
【００２１】
本発明の一実施形態に係る接続端子を備えた巾木について、図１から図３に基づいて説明する。
図１は、発明の一実施形態に係る接続端子を備えた巾木が設置例を示す斜視図である。図２は、本発明の一実施形態に係る接続端子を備えた巾木が新規で設置される場合を示す縦断面図である。図３は、本発明の一実施形態に係る接続端子を備えた巾木が新規で設置される場合を示す正面図である。
図１に示すように、接続端子を備えた巾木（以下、単に「巾木」と称する）１００は、住宅やオフィス等の建築物の壁Ｗと床Ｆとで形成される隅部Ｃに沿って配置される長尺状のものである。
巾木１００は、隅部Ｃに沿って配置される巾木体（巾木部）１、巾木体１に設けられたコンセント体２と、を備えている。
【００２２】
図２及び図３に示すように、巾木体１は、下端部が床Ｆに当接するように設けられる鉛直面部（表面部）１０と、鉛直面部１０の上端部から折曲された上面部１６と、を有している。上面部１６の端部は、壁Ｗに当接して配置されている。巾木体１は、樹脂や木質材料等により形成されている。
【００２３】
鉛直面部１０には、壁Ｗ側に（内方に）凹む凹部１９が形成されている。詳細には、鉛直面部１０は、床Ｆから立設する下部壁部１１と、下部壁部１１の上端部から折曲された下部折曲壁部１２と、下部折曲壁部１２の端部から上方に延びる取付壁部１３と、取付壁部１３の上端部から折曲された上部折曲壁部１４と、上部折曲壁部１４の端部から上方に延びる上部壁部１５と、を有している。下部折曲壁部１２、取付壁部１３及び上部折曲壁部１４により凹部１９が形成されている。上面部１６は、上部壁部１５の上端部に接続されている。
【００２４】
凹部１９には、接続端子が設けられたコンセント体（接続部）２が嵌め込まれている。コンセント体２は、凹部１９と略同一の大きさである。コンセント体２は、断面視コ字状の支持部２１と、支持部２１に支持された筐体部２２と、筐体部２２に設けられた差込口（接続端子）２３と、を有している。なお、図２では、コンセント体２の概略の構成を示している。
【００２５】
差込口２３は、筐体部２２の表面から内方（壁Ｗ側）に向かって凹み、巾木体１の延在方向に沿って連続して延びるライン状をなす差込口溝２３ａが上下方向に離間して例えば３列配置されて構成されている。差込口溝２３ａは、巾木体１の略全長にわたって設けられている。巾木体１の延在方向の端部には、差込口２３が設けられずにカバー（不図示）が設けられていてもよい。なお、差込口溝２３ａは、巾木体１の略全長にわたって設けられておらず、所定距離にわたって設けられていて、設けられていない箇所があってもよい。
【００２６】
差込口２３は、壁Ｗと反対側を向いて配置されている。図１に示すように、差込口２３には、壁Ｗと反対側から、配線タップ（電気プラグ）Ｕが差し込まれて、電気的に接続されている。電気機器ＥのケーブルＥ１に設けられたプラグＥ２は、配線タップＵに差し込まれて、電気的に接続されている。
配線タップＵは、プラグ刀（不図示）が、差込口２３の差込口溝２３ａに対応した形状をなすとともに、差込口（不図示）が電気機器ＥのプラグＥ２のプラグ刀（不図示）と対応した形状をなしている。電気機器Ｅのプラグのプラグ刀が差込口２３の差込口溝２３ａに対応した形状をなしていれば、配線タップＵを用いずに、電気機器Ｅのプラグを差込口２３に直接差し込んでもよい。
【００２７】
図２に示すように、下部壁部１１と壁Ｗとの間には、配線収容空間Ｓが形成されている。詳細には、配線収容空間Ｓは、下部壁部１１、下部折曲壁部１２、壁Ｗ及び床Ｆで囲まれて空間である。
【００２８】
筐体部２２の延在方向の端部に接続された電源線２４は、下部折曲壁部１２に設けられた不図示の通線孔から下方に引き延ばされ、配線収容空間Ｓ内に収容されている。電源線２４は、床Ｆに設けられた通線孔Ｆ１から床Ｆの下方に延びている。あるいは、電源線２４は、壁Ｗに設けられた通線孔（不図示）から壁Ｗの内部に延びていてもよい。
【００２９】
上記の巾木１００を隅部Ｃに沿って取り付ける際には、予め床Ｆに通線孔Ｆ１を設けるととともに、巾木体１の下部折曲壁部１２に通線孔（不図示）を設けておく。床Ｆの通線孔Ｆ１から引き延ばした電源線２４を巾木体１の下部折曲壁部１２の通線孔に挿通させて、筐体部２２に接続された電源線２４と接続しておく。
【００３０】
この状態で、巾木体１の取付壁部１３からタッカーＴ１等で壁Ｗに固定する。そして、巾木体１の凹部１９にコンセント体２を嵌め込む。巾木体１のカバー（不図示）を螺子等で壁Ｗに固定してもよい。
【００３１】
このように構成された巾木１００では、巾木体１の鉛直面部１０には、巾木体１の延在方向に沿って連続して差込口２３が設けられている。よって、電気機器ＥのケーブルＥ１を、連続する差込口２３の任意の位置で接続することができる。
従来の壁Ｗに設けられたコンセント等では、コンセントと電気機器Ｅとが離れている場合には、露出するケーブルＥ１が長くなる。本発明では、ライン状に形成された差込口溝２３ａのうち最短の位置で、電気機器ＥのプラグＥ２を配線タップＵを介して接続することで、露出するケーブルＥ１を短くすることができる。
【００３２】
また、鉛直面部１０と壁Ｗとの間には、筐体部２２に接続された電源線２４が収容される配線収容空間Ｓが形成されている。よって、電源線２４が露出することがなく、外観が向上させることができるとともに、電源線２４が歩行等の邪魔になることがない。
【００３３】
また、巾木体１の鉛直面部１０には壁Ｗ側に凹む凹部１９が形成され、差込口２３が設けられたコンセント体２は凹部１９内に配置されている。よって、コンセント体２が巾木体１から壁Ｗと反対側に出っ張ることが抑制され、納まりを良好とすることができる。
【００３４】
また、凹部１９には該凹部１９と略同一の大きさのコンセント体２が配置されるため、巾木１００全体の凹凸を抑えて良好な納まりとすることができる。
【００３５】
また、差込口２３は壁Ｗと反対側を向いて配置されているため、電気機器ＥのプラグＥ２に接続された配線タップＵを巾木１００の壁Ｗと反対側の鉛直面部１０側から差し込むことができる。
【００３６】
なお、本発明に係る巾木は、上述した実施形態に係る巾木１００に限定されるものではなく、本発明の要旨を逸脱しない範囲で適宜の変更や置換等が可能である。
以下に、本発明の実施形態の変形例について説明するが、上述した実施形態で説明した部品や部材等と同一または同様なものについては、同一の符号を用いて説明する。
【００３７】
（変形例１）
次に、本発明の一実施形態の変形例１に係る巾木１０１について、主に図４及び図５に基づいて説明する。
図４は、本発明の一実施形態の変形例１に係る接続端子を備えた巾木がリフォームの際に設置される場合を示す縦断面図である。図５は、本発明の一実施形態の変形例１に係る接続端子を備えた巾木がリフォームの際に設置される場合を示す正面図である。
図４及び図５に示すように、巾木１０１は、隅部Ｃに沿って既設の巾木（以下、既設巾木と称する。）２００が設けられている。既設巾木２００を覆うように巾木１０１が設けられている。
【００３８】
巾木１０１の鉛直面部１０は、既設巾木２００の壁Ｗと反対側の面を覆っている。取付壁部１３は、既設巾木２００に当接するように配置さている。上面部１６は、既設巾木２００の上部を覆い、端部は壁Ｗに当接している。
【００３９】
上記の巾木１０１を既設巾木２００に沿って取り付ける際には、予め床Ｆに通線孔Ｆ１を設けるととともに、巾木体１の下部折曲壁部１２に通線孔（不図示）を設けておく。床Ｆの通線孔Ｆ１から引き延ばした電源線２４を巾木体１の下部折曲壁部１２の通線孔に挿通させて、筐体部２２に接続された電源線２４と接続しておく。
【００４０】
この状態で、巾木体１の取付壁部１３からタッカーＴ１等で既設巾木２００及び壁Ｗに固定する。そして、巾木体１の凹部１９にコンセント体２を嵌め込む。巾木体１のカバー（不図示）を螺子等で既設巾木２００及び壁Ｗに固定してもよい。
【００４１】
このように構成された巾木１０１では、既存巾木２００を取り外すことなく、差込口２３が設けられた巾木１０１を設置することができる。また、巾木体１は既設巾木２００の少なくとも壁Ｗと反対側の面及び上部を覆うように配置されているため、既存巾木２００の露出が抑制される。
【００４２】
（変形例２）
次に、本発明の一実施形態の変形例２に係る巾木１０２について、主に図６及び図７に基づいて説明する。
図６は、本発明の一実施形態の変形例２に係る接続端子を備えた巾木が接続端子を上向きにして設置される場合を示す縦断面図である。図７は、本発明の一実施形態の変形例２に係る接続端子を備えた巾木が接続端子を上向きにして設置される場合を示す正面図である。
図６及び図７に示すように、巾木体３は、壁Ｗに沿って配置される裏板部３１と、裏板部３１と間隔を有して配置された表板部３２と、裏板部３１と表板部３２との間に配置された支持フレーム３３及び連結部３４と、を有している。
【００４３】
支持フレーム３３は、表板部３２に沿って配置された前壁部３３ａと、裏板部３１に沿って配置された後壁部３３ｂ、前壁部３３ａの上端部と後壁部３３ｂの上端部とを連結する連結壁部３３ｃと、を有している。連結部３４は、床Ｆに沿って配置されている。
【００４４】
支持フレーム３３の連結壁部３３ｃは、表板部３２の上端部及び裏板部３１の上端部よりも下方に配置されている。このように、巾木体３の上部には下方に（内方に）向かって凹む凹部３９が形成されている。
【００４５】
凹部３９には、コンセント体２が配置されている。コンセント体２は支持フレーム３３の支持されている。本変形例では、差込口２３は、上方を向いて配置されている。配線タップＵ（図１参照）は、上方から、差込口２３に電気的に接続可能とされている。
【００４６】
裏板部３１、表板部３２、支持フレーム３３の連結壁部３３ｃ及び連結部３４で囲まれた空間は、配線収容空間Ｓ２とされている。
【００４７】
筐体部２２の延在方向の端部に接続された電源線２４は、支持フレーム３３の連結壁部３３ｃに設けられた通線孔（不図示）から下方に引き延ばされ、配線収容空間Ｓ２内に収容されている。電源線２４は、連結部３４に設けられた通線孔３５に挿通され、床Ｆに設けられた通線孔Ｆ１から床Ｆの下方に延びている。あるいは、電源線２４は、壁Ｗに設けられた通線孔（不図示）から壁Ｗの内部に延びていてもよい。
【００４８】
上記の巾木１０２を隅部Ｃに沿って取り付ける際には、裏板部３１を壁ＷにタッカーＴ２等で固定する。床Ｆ及び巾木体３の裏板部３１に沿って連結部３４を配置する。連結部３４及び床Ｆに、それぞれ通線孔３５，Ｆ１を設ける。なお、裏板部３１と連結部３４とが予め接合されていてもよい。
【００４９】
床Ｆの通線孔Ｆ１から引き延ばした電源線２４を、連結部３４の通線孔３５に挿通させておく。支持フレーム３３の後壁部３３ｂを、裏板部３１にタッカーＴ３等で固定する。支持フレーム３３の連結壁部３３ｃに通線孔を設け、電源線２４を通線孔に挿通させておく。
【００５０】
巾木体３の表板部３２を、連結部３４及び支持フレーム３３の前壁部３３ａにそれぞれタッカーＴ４等で固定する。支持フレーム３３の通線孔に挿通された電源線２４を、筐体部２２に接続された電源線２４と接続する。
【００５１】
この状態で、巾木体３の裏板部３１の上部、支持フレーム３３の連結壁部３３ｃ及び表板部３２の上部により形成された凹部３９に、コンセント体２を嵌め込む。
【００５２】
このように構成された巾木１０２では、巾木体３の上部には下方に向かって凹む凹部３９が形成され、差込口２３が設けられたコンセント体２は凹部３９内に配置されている。よって、コンセント体２が巾木体３から上方に出っ張ることが抑制され、納まりを良好とすることができる。また、差込口２３は上方を向いて配置されているため、電気機器ＥのプラグＥ２に接続された配線タップＵを巾木１０２の上方から差し込むことができる。
【００５３】
（変形例３）
次に、本発明の一実施形態の変形例３に係る巾木１０３について、主に図８に基づいて説明する。
図８は、本発明の一実施形態の変形例３に係る接続端子を備えた巾木において、巾木どうしの接続部分を示す斜視図である。
図８に示すように、巾木１０３どうしの接続部分において、巾木体１の凹部１９には、コンセント体２が設けられずに、隣接する凹部１９に跨ってカバー部材４０が設けられていてもよい。カバー部材４０は、凹部１９に嵌合される嵌合部（不図示）と、凹部１９の開口を覆うカバー本体４１と、を有している。カバー本体４１は、上部壁部１５の下端部から下部壁部１１の上端部まで上下方向に延びている。
【００５４】
このような構成では、巾木１０３どうしの接続部分で目違い（位置ずれ）があったとしても、隣接する巾木１０３に跨って凹部１９にカバー部材４０を嵌合させることにより、凹部１９の目違い部分の露出を抑制することができる。
【００５５】
なお、上述した実施の形態において示した各構成部材の諸形状や組み合わせ等は一例であって、本発明の主旨から逸脱しない範囲において設計要求等に基づき種々変更可能である。
【００５６】
例えば、本発明の一実施形態の変形例２に係る巾木１０２は、既設巾木２００に裏板部３１を当接して設置する等して、リフォームの際に既設巾木２００を取り外さず巾木１００を設置してもよい。
【００５７】
また、上記に示す実施形態では、凹部１９，３９とコンセント体２とが略同一の大きさで構成されているが、本発明はこれに限られない。例えば、巾木部に凹部をコンセント体２よりも大きく形成して、凹部の下側にコンセント体２を接続端子が上方を向くように配置して、凹部の上側（コンセント体２が配置されていない箇所）に接続端子に接続される電気プラグを配置できるようにしてもよい。
【符号の説明】
【００５８】
１，３…巾木体（巾木部）
２…コンセント体（接続部）
１０…鉛直面部（表面部）
１１…下部壁部
１２…下部折曲壁部
１３…取付壁部
１４…上部折曲壁部
１５…上部壁部
１６…上面部
１９，３９…凹部
２１…支持部
２２…筐体部
２３…差込口（接続端子）
２３ａ…差込口溝
２４…電源線
３１…裏板部
３２…表板部
３３…支持フレーム
３４…連結部
１００，１０１，１０２…巾木
２００…既存巾木
Ｃ…隅部
Ｅ…電気機器
Ｅ１…ケーブル
Ｅ２…プラグ
Ｆ…床
Ｓ…配線収容空間
Ｔ…タッカー
Ｕ…配線タップ（電気プラグ）
Ｗ…壁
【図１】
2018102029.tif 000003
【図２】
2018102029.tif 000004
【図３】
2018102029.tif 000005
【図４】
2018102029.tif 000006
【図５】
2018102029.tif 000007
【図６】
2018102029.tif 000008
【図７】
2018102029.tif 000009
【図８】
2018102029.tif 000010